(57)【特許請求の範囲】
【請求項１】
イヤホン部及びマイク部を備え、他ワイヤレス送受信子機とのワイヤレスインカム通信機能を有すると共にワイヤレスマイク機能をも有するよう構成されたワイヤレス送受信子機であって、
インカム無線を受信してインカム音声信号に変換し前記イヤホン部に供給するインカム受信手段と、
前記マイク部から供給されたマイク音声信号を３つの出力のうちいずれかの出力側に切換可能な切換手段と、
前記切換手段の第１の出力側から出力されるマイク音声信号をインカム無線に変換して送信するインカム送信手段と、
前記切換手段の第２の出力側から出力されるマイク音声信号をマイク無線に変換して送信するマイク送信手段と、
前記ワイヤレスインカム通信機能を選択させるためのインカムスイッチ手段と、
前記ワイヤレスマイク機能を選択させるためのマイクスイッチ手段と、
当該ワイヤレス送受信子機の初期状態として、前記切換手段を、前記インカム送信手段及び前記マイク送信手段のいずれにも接続させない停止側である第３の出力側に設定して、前記インカム受信手段でインカム無線を受信させると共に、
前記インカムスイッチ手段により前記ワイヤレスインカム通信機能が選択された場合には、前記切換手段を前記第１の出力側に切換えて前記インカム送信手段からインカム無線を送信するように制御する一方、
前記インカムスイッチ手段により前記ワイヤレスインカム通信機能が選択されず、且つ前記マイクスイッチ手段により前記ワイヤレスマイク機能が選択された場合には、前記切換手段を前記第２の出力側に切換えて前記マイク送信手段からマイク無線を送信するように制御する制御手段と、
を備えた構成のワイヤレス送受信子機。
【発明の詳細な説明】
【技術分野】
【０００１】
本発明は、ワイヤレス送受信子機に係り、特に、ワイヤレスインカム及びワイヤレスマイクを一体化させてなるワイヤレス送受信子機に関する。
【背景技術】
【０００２】
従来より、複数のワイヤレスインカム子機と親機とにより構成されたワイヤレスインカムシステムが知られている（例えば、特許文献１参照）。このワイヤレスインカムシステムにおいては、ワイヤレスインカム子機同士が、親機を介して特定小電力無線回線により通信接続され、子機の所有者同士が通話することが可能である。
【０００３】
また、従来より、ワイヤレスマイクを用いたワイヤレスマイクシステムも知られている（例えば、特許文献２参照）。このワイヤレスマイクシステムは、マイク所持者が発声した音声をワイヤレスマイクが集音して電波送信し、これを電波到達範囲内に設置されたアンテナ装置で受信して受信装置で受け、アンプ及びスピーカ等の出力装置から拡声するといったことに用いられている。
【０００４】
これらワイヤレス送受信装置は、システム同士の混信を避けるため、利用可能な周波数帯域が制限されている。例えば、電波利用のワイヤレス送受信装置の場合、ワイヤレスインカムシステムが４００ＭＨｚ帯や１．９ＧＨｚ帯の電波を利用し、ワイヤレスマイクが８００ＭＨｚ帯の電波を利用する。
【０００５】
このようなワイヤレスインカムシステムやワイヤレスマイクシステムは、量販店や大型店舗等の展示販売フロアや、パチンコ店、ゲームセンタ等の遊技フロア等において、店舗従業員に利用されることが多い。例えば、大型店舗においては、広い展示販売フロアに複数の販売員がいて販売業務を行うが、各販売員はワイヤレスマイクを所持し来店客に対して販売促進や店舗案内のアナウンスを行っている。それと共に、各販売員は、ワイヤレスインカム子機をも所持し、販売員同士の業務連絡を無線通信により行うこともある。大型店舗のように展示販売フロアが広い場所においては、このようにワイヤレス無線を用いて拡声したり子機同士で連絡し合ったりすることが多用される。
【特許文献１】特開２００５−９４４１９号公報
【特許文献２】実用新案登録第３０７２４４５号公報
【発明の開示】
【発明が解決しようとする課題】
【０００６】
しかしながら、上述したように、ワイヤレスインカム子機及びワイヤレスマイクの両方を所持することは、ワイヤレスゆえ行動範囲が比較的自在にはなるものの、邪魔を感ずることもあり、また２つの独立した機器の操作は煩雑さを感ずることが多い。また、ワイヤレスインカム子機で他の従業員と会話している最中に、操作を間違えワイヤレスマイクをＯＮにしてしまうと、来店客には必要のない会話が拡声されて来店客に聞こえてしまうという不具合も発生し得るという問題があった。
【０００７】
そこで、本発明は、上記問題点に鑑みてなされたものであり、ワイヤレスインカム子機及びワイヤレスマイクを一体的に構成して各機能を選択的に操作可能にすることにより所持者の煩雑さを解消し、音声を所望しい経路に伝達され難くすることができる高品位なワイヤレス送受信子機を提供することを目的とする。
【課題を解決するための手段】
【０００８】
本発明は、上記の課題を解決するために、以下の手段を提供するものである。
イヤホン部（２０３ｃ）及びマイク部（２０３）を備え、他ワイヤレス送受信子機（１０１）とのワイヤレスインカム通信機能を有すると共にワイヤレスマイク機能をも有するよう構成されたワイヤレス送受信子機（１０１）であって、
インカム無線を受信してインカム音声信号に変換し前記イヤホン部（２０３ｃ）に供給するインカム受信手段（２０４ｃ，２０４ｂ）と、
前記マイク部（２０３）から供給されたマイク音声信号を３つの出力のうちいずれかの出力側に切換可能な切換手段（２０６）と、
前記切換手段（２０６）の第１の出力側（ａ側）から出力されるマイク音声信号をインカム無線に変換して送信するインカム送信手段（２０４ａ，２０４ｃ）と、
前記切換手段（２０６）の第２の出力側（ｂ側）から出力されるマイク音声信号をマイク無線に変換して送信するマイク送信手段（２０５ａ，２０５ｂ）と、
前記ワイヤレスインカム通信機能を選択させるためのインカムスイッチ手段（２０３ａ）と、
前記ワイヤレスマイク機能を選択させるためのマイクスイッチ手段（２０３ｂ）と、
当該ワイヤレス送受信子機（１０１）の初期状態として、前記切換手段（２０６）を、前記インカム送信手段（２０４ａ，２０４ｃ）及び前記マイク送信手段（２０５ａ，２０５ｂ）のいずれにも接続させない停止側である第３の出力側（ｃ側）に設定して、前記インカム受信手段（２０４ｃ，２０４ｂ）でインカム無線を受信させると共に、
前記インカムスイッチ手段（２０３ａ）により前記ワイヤレスインカム通信機能が選択された場合には、前記切換手段（２０６）を前記第１の出力側（ａ側）に切換えて前記インカム送信手段（２０４ａ，２０４ｃ）からインカム無線を送信するように制御する一方、
前記インカムスイッチ手段（２０３ａ）により前記ワイヤレスインカム通信機能が選択されず、且つ前記マイクスイッチ手段（２０３ｂ）により前記ワイヤレスマイク機能が選択された場合には、前記切換手段（２０６）を前記第２の出力側（ｂ側）に切換えて前記マイク送信手段（２０５ａ，２０５ｂ）からマイク無線を送信するように制御する制御手段（２０７）と、
を備えた構成のワイヤレス送受信子機（１０１）。
【発明の効果】
【０００９】
本発明によれば、ワイヤレスインカム通信機能及びワイヤレスマイク機能を兼ね備えて構成し、各機能を選択的に操作可能にしたことにより、所持者の操作の煩雑さが解消されると共に、マイク部からのマイク音声信号が所望しない経路に伝達されることを確実に防ぐことができる。
【００１０】
さらに、本発明によれば、初期状態として、切換手段を一旦停止側にしてからいずれかのモードに切換えるようにしたため、初期状態における音声ノイズの送信をも防止することもできる。
【発明を実施するための最良の形態】
【００１１】
以下、本発明を実施するための最良の形態について、図面を参照して詳細に説明する。なお、本発明の実施形態が適用されたワイヤレス送受信システムは、特に、ワイヤレス送受信子機及びその動作に特徴があり、ワイヤレスインカムシステム及びワイヤレスマイクシステムの一般的構成については従来技術と同様である。よって、本実施形態においては、特徴的なワイヤレス送受信子機の構成及び動作について主に説明する。
【００１２】
図１に、ワイヤレスインカムシステム及びワイヤレスマイクシステムの各機能を併せ備えた、本発明の実施形態が適用されたワイヤレス送受信システムの概略構成図を示す。同図において、ワイヤレス送受信システム１は、ワイヤレス送受信子機１０１−１〜１０１−３（以下、ワイヤレス送受信子機１０１と記す。）と、アンテナ装置１０２−１，１０２−２（以下、アンテナ装置１０２と記す。）と、ワイヤレス送受信親機１０３と、アンプ１０４と、スピーカ１０５とを備えている。
【００１３】
なお、同図に示したワイヤレス送受信システム１を構成する各装置の台数は一例であり、システムの構築規模により適宜増減されて構成されるものである。また、ワイヤレス送受信親機１０３とアンプ１０４との間にミキサやセレクタ等の音声信号処理装置が組み込まれていてもよい。
【００１４】
同図において、ワイヤレス送受信子機１０１は、ワイヤレスインカム子機及びワイヤレスマイクの各機能を併せ備えたものであり、所持者による操作に従い、ワイヤレスインカムモード（以下、インカムモードという。）とワイヤレスマイクモード（以下、マイクモードという。）とが選択的に切換えられて動作するものである。
【００１５】
アンテナ装置１０２は、ワイヤレス送受信子機１０１との間で無線による送受信を行うものである。そして、アンテナ装置１０２は、到来した無線を受信し復調してワイヤレス送受信親機１０３に送信したり、ワイヤレス送受信親機１０３から送信された通信情報を受信し変調して無線により送信したりする。本実施形態においては、インカムモードでは１．９ＧＨｚ帯での電波の送受信を行う一方、マイクモードでは８００ＭＨｚ帯での電波の受信を行う。このように、両モードでの混信を避けるために異なる周波数帯域が採用される。
【００１６】
なお、アンテナ装置１０２は、無線による送受信エリアが限られるため、所望のエリアを送受信可能にカバーするために、１台又は必要に応じて複数台がなるべく送受信エリアの重複が少なくなるように設置されるのが好ましい。
【００１７】
ワイヤレス送受信親機１０３は、インカムモードにおいては、ワイヤレス送受信子機１０１同士が通信接続されるようアンテナ装置１０２の送受信動作を制御する。また、ワイヤレス送受信親機１０３は、マイクモードにおいては、アンテナ装置１０２から供給された復調後の信号を音声信号に変換してアンプ１０４に供給する。
【００１８】
アンプ１０４は、供給された音声信号を増幅して出力し、後段のスピーカ１０５から拡声させる。
【００１９】
次に、図２に、ワイヤレス送受信子機１０１の外観構成例を模式的に示し、図３にワイヤレス送受信子機１０１の概略の機能ブロック図を示す。まず、図２において、ワイヤレス送受信子機１０１は、本体部２０１と、コントロールマイク部２０２とで構成されている。そして、コントロールマイク部２０２は、インカムスイッチ２０３ａ及びマイクスイッチ２０３ｂをそれぞれ具備したマイク部２０３に、イヤホン部２０３ｃが接続されて構成されている。
【００２０】
ワイヤレス送受信子機１０１は、携帯容易なように小型に形成されており、本体部２０１が所持者の胸ポケットや腰ポケット等に収納可能になっていると共に、マイク部２０３には、服の襟やネクタイ等に止められるような機構（不図示であるが、例えばピン。）が設けられている。イヤホン部２０３ｃは、周知のイヤホンタイプであってもよいし、ヘッドホンタイプであっても勿論よい。
【００２１】
図３において、本体部２０１は、インカム制御部２０４と、マイク制御部２０５と、切換部２０６と、制御部２０７とを備えている。そして、インカム制御部２０４は、インカム送信部２０４ａと、インカム受信部２０４ｂと、インカムアンテナ部２０４ｃとを備えている。また、マイク制御部２０５は、マイク送信部２０５ａと、マイクアンテナ部２０５ｂとを備えている。
【００２２】
同図において、制御部２０７は、例えばマイコンによって構成されており、制御プログラムを実行することにより、インカムスイッチ２０３ａ及びマイクスイッチ２０３ｂの状態を検出したり、インカム制御部２０４、マイク制御部２０５、及び切換部２０６を制御したりする。
【００２３】
インカム制御部２０４は、インカムアンテナ部２０４ｃを介してインカム受信部２０４ｂで受信した電波を復調してインカム音声信号に変換し、イヤホン部２０３ｃに供給する。これにより、所持者はイヤホン部２０３ｃよりインカム音声を聴くことができる。
【００２４】
インカムスイッチ２０３ａ及びマイクスイッチ２０３ｂは、それぞれインカムモード及びマイクモードの選択スイッチであり、ワイヤレス送受信子機１０１の所持者により択一的に操作され、この操作に従い制御部２０７によって選択された方のモードになる。例えば、インカムスイッチ２０３ａが押されている間中はインカムモードになり、インカムスイッチ２０３ａから指を離してマイクスイッチ２０３ｂが押されると、この押されている間中マイクモードになる。インカムモードにされたとき、制御部２０７は切換部２０６をａ側（インカム制御部側）に切換ると共に、インカム制御部２０４からの電波送信をＯＮ制御することにより、マイク部２０３で集音された音声信号がインカム送信部２０４ａによって変調されてインカムアンテナ部２０４ｃから電波として送信される。
【００２５】
また、マイクモードにされたときは、制御部２０７は切換部２０６をｂ側（マイク制御部側）に切換ると共に、マイク制御部２０５からの電波送信をＯＮ制御することにより、マイク部２０３で集音された音声信号がマイク送信部２０５ａによって変調されてマイクアンテナ部２０５ｂから電波として送信される。
【００２６】
また、切換部２０６にはｃ側（停止側）への切換があるが、これについては後述の動作説明において説明する。
【００２７】
次に、本発明の実施形態が適用されたワイヤレス送受信システムの動作について、特に、ワイヤレス送受信子機１０１の動作を中心に説明する。図４に、ワイヤレス送受信子機１０１の動作を説明するためのフローチャートを示す。まず、初期状態として、ワイヤレス送受信システム１におけるワイヤレス送受信子機１０１以外の各装置が稼動状態となっている状態において、ワイヤレス送受信子機１０１の電源が投入又はリセットされると、制御部２０７は、制御プログラムの実行により切換部２０６をｃ側に切換える（ステップＳ４０１）。これにより、マイク部２０３ｃからの音声信号の経路はインカム送信部２０４ａ及びマイク送信部２０５ａのいずれにも接続されずニュートラル状態となり、インカムアンテナ部２０４ｃ及びマイクアンテナ部２０５ｂのいずれからもマイク音声信号が変調された電波が送信されることはない。
【００２８】
次に、制御部２０７は、インカム制御部２０４に対して受信開始を指示する（ステップＳ４０２）。これにより、インカムアンテナ部２０４ｃを介してインカム受信部２０４ｂが到来電波を受信し、復調して得られたインカム音声信号をイヤホン部２０３ｃに供給して所持者に聴かせることができる。
【００２９】
次に、制御部２０７は、インカムスイッチ２０３ａが選択されたか否かを判定する（ステップＳ４０３）。そして、ステップＳ４０３の処理においてインカムスイッチ２０３ａが選択されたと判定された場合は、ステップＳ４０４に処理を移行する一方、インカムスイッチ２０３ａが選択されていないと判定された場合は、ステップＳ４０９の処理に移行する。
【００３０】
＜インカムモードの動作説明＞
ステップＳ４０３の処理においてインカムスイッチ２０３ａが選択されたと判定された場合は、制御部２０７は、切換部２０６をｃ側からａ側に切換えて、マイク部２０３から切換部２０６を介したインカム制御部２０４への送信経路を確立させる（ステップＳ４０４）。
【００３１】
次に、制御部２０７は、インカム制御部２０４に対し、マイク部２０３から切換部２０６を介してインカム制御部２０４に供給されたマイク音声信号をインカム送信部２０４ａで変調して送信を開始するように制御する（ステップＳ４０５）。
【００３２】
次に、制御部２０７は、インカムスイッチ２０３ａが選択解除されたか否かを判定する（ステップＳ４０６）。そして、ステップＳ４０６の処理においてインカムスイッチ２０３ａが選択解除されたと判定された場合は、ステップＳ４０７に処理を移行する一方、インカムスイッチ２０３ａが選択解除されていないと判定された場合は、そのまま選択解除されるまで処理を待機させる。
【００３３】
ステップＳ４０６の処理においてインカムスイッチ２０３ａが選択解除されたと判定された場合は、制御部２０７は、切換部２０６をａ側からｃ側に切換えて、マイク部２０３からの送信経路をニュートラルな状態に独立させる（ステップＳ４０７）。
【００３４】
次に、制御部２０７は、インカム制御部２０４に対してインカム送信部２０４ａからの送信を停止するよう制御し、ステップＳ４０３の処理に移行する（ステップＳ４０８）。
【００３５】
＜マイクモードの動作説明＞
ステップＳ４０３の処理においてインカムスイッチ２０３ａが選択されていないと判定された場合は、制御部２０７は、マイクスイッチ２０３ｂが選択されたか否かを判定する（ステップＳ４０９）。そして、ステップＳ４０９の処理においてマイクスイッチ２０３ｂが選択されたと判定された場合は、ステップＳ４１０に処理を移行する一方、マイクスイッチ２０３ｂが選択されていないと判定された場合は、ステップＳ４０３の処理に移行する。
【００３６】
ステップＳ４０９の処理においてマイクスイッチ２０３ｂが選択されたと判定された場合は、制御部２０７は、切換部２０６をｃ側からｂ側に切換えて、マイク部２０３から切換部２０６を介したマイク制御部２０５への送信経路を確立させる（ステップＳ４１０）。
【００３７】
次に、制御部２０７は、マイク制御部２０５に対し、マイク部２０３から切換部２０６を介してマイク制御部２０５に供給されたマイク音声信号をマイク送信部２０５ａで変調して送信を開始するように制御する（ステップＳ４１１）。この場合においても、インカムアンテナ部２０４ｃを介してインカム受信部２０４ｂで受信された到来電波は復調され、得られたインカム音声信号がイヤホン部２０３ｃに供給されている。
【００３８】
次に、制御部２０７は、マイクスイッチ２０３ｂが選択解除されたか否かを判定する（ステップＳ４１２）。そして、ステップＳ４１２の処理においてマイクスイッチ２０３ｂが選択解除されたと判定された場合は、ステップＳ４１３に処理を移行する一方、マイクスイッチ２０３ｂが選択解除されていないと判定された場合は、そのまま選択解除されるまで処理を待機させる。
【００３９】
ステップＳ４１２の処理においてマイクスイッチ２０３ｂが選択解除されたと判定された場合は、制御部２０７は、切換部２０６をｂ側からｃ側に切換えて、マイク部２０３からの送信経路をニュートラルな状態に独立させる（ステップＳ４１３）。
【００４０】
次に、制御部２０７は、マイク制御部２０５に対してマイク送信部２０５ａからの送信を停止するよう制御し、ステップＳ４０３の処理に移行する（ステップＳ４１４）。
【００４１】
以上のように構成することにより、ワイヤレス送受信子機１０１の所持者は、マイクモードでマイク音声信号を送信中であってもイヤホン部２０３ｃからは常にインカム音声を聴くことができる。
【００４２】
以上、詳述したように、本実施形態が適用されたワイヤレス送受信システム１におけるワイヤレス送受信子機１０１は、ワイヤレスインカム子機及びワイヤレスマイクを一体的に構成し、インカムモード及びマイクモードを選択的に操作可能にしたことにより、所持者の操作の煩雑さが解消されると共に、マイク部２０３に発声した音声信号が、所望しない経路に伝達されることを防ぐことができる。
【００４３】
また、このワイヤレス送受信子機１０１では、電源投入後及びリセット後、並びに各モードの動作終了後において、切換部２０６を一旦ニュートラル状態（ｃ側）にしてからいずれかのモードに切換えるようにしたため、初期状態やモード切換時における音声ノイズの送信を防止することができる。
【００４４】
なお、本実施形態におけるワイヤレス送受信システム１では、ワイヤレス送受信親機１０３が、インカムモードにおいては、ワイヤレス送受信子機１０１同士が通信接続されるようアンテナ装置１０２の送受信動作を制御する一方、マイクモードにおいては、アンテナ装置１０２から供給された復調後の信号を音声信号に変換してアンプ１０４に供給するというように、両モードの機能を有する構成としたが、ワイヤレス送受信システムの他の構成例として、ワイヤレスインカムシステムとワイヤレスマイクシステムとの親機側を図５に示すように互いに独立させた構成としてもよい。
【図面の簡単な説明】
【００４５】
【図１】本発明の実施形態が適用されたワイヤレス送受信システムの概略構成図である。
【図２】ワイヤレス送受信子機の外観構成例を模式的に示した図である。
【図３】ワイヤレス送受信子機の概略の機能ブロック図である。
【図４】ワイヤレス送受信子機の動作を説明するためのフローチャートである。
【図５】本発明の実施形態が適用された他のワイヤレス送受信システムの概略構成図である。
【符号の説明】
【００４６】
１  ワイヤレス送受信システム
１０１−１〜１０１−３  ワイヤレス送受信子機
１０２−１，１０２−２  アンテナ装置
１０３  ワイヤレス送受信親機
１０４  アンプ
１０５  スピーカ
２０１  本体部
２０２  コントロールマイク部
２０３  マイク部
２０３ａ  インカムスイッチ
２０３ｂ  マイクスイッチ
２０３ｃ  イヤホン部
２０４  インカム制御部
２０４ａ  インカム送信部
２０４ｂ  インカム受信部
２０４ｃ  インカムアンテナ部
２０５  マイク制御部
２０５ａ  マイク送信部
２０５ｂ  マイクアンテナ部
２０６  切換部
２０７  制御部
【図１】
0004770799.tif 000002
【図２】
0004770799.tif 000003
【図３】
0004770799.tif 000004
【図４】
0004770799.tif 000005
【図５】
0004770799.tif 000006